(57)【要約】【課題】被覆栽培時に晴天時以外の日中の光スペクトルを晴天時の日中の光スペクトルに近づけることで、天候による栽培条件の振れ幅を小さくし、かつ、補光量を少なく抑える。【解決手段】補光システム（１）は、被覆資材（４００）で被覆された植物に、被覆資材（４００）による被覆下で、晴天時以外の日中に、晴天時の日中に対して光量が不足している波長領域における予め設定された所定の波長領域の光を照射する。【選択図】図３
2014168405.tif 000002
【特許請求の範囲】
【請求項１】
被覆部材で被覆された植物に、上記被覆部材による被覆下で、晴天時以外の日中に、晴天時の日中に対して光量が不足している波長領域における予め設定された所定の波長領域の光を照射する補光システムであって、
上記被覆部材で被覆された植物に、上記所定の波長領域の光を照射する補光手段と、
上記被覆部材を介して上記植物に照射される光の波長成分を測定する第１の波長成分測定手段と、
晴天時の日中の光の波長成分から目標波長成分として設定された、上記被覆部材による被覆下での上記所定の波長領域の光の光量と、上記第１の波長成分測定手段によって測定された波長成分における上記所定の波長領域の光の光量とを比較した比較結果に応じて、上記補光手段から照射される光の光量を制御する光量制御手段とを備えていることを特徴とする補光システム。
【請求項２】
上記光量制御手段は、
上記第１の波長成分測定手段によって測定された光の波長成分の光合成有効光量子密度をＳとし、露天下での晴天時の日中の波長成分の光合成有効光量子密度をＦとしたとき、上記露天下での晴天時の日中の光の波長成分に、Ｓ／Ｆを乗じて得られる波長成分を目標波長成分として設定する目標波長成分設定部と、
上記目標波長成分設定部によって設定された目標波長成分と、上記第１の波長成分測定手段によって測定された波長成分とにおける、上記所定の波長領域の光の光量とを比較する光量比較部と、
上記光量比較部による比較結果に応じて、上記補光手段から照射される光の光量を調整する光量調整部と、を備えている請求項１に記載の補光システム。
【請求項３】
上記光量調整部は、上記光量比較部による比較結果から、
上記第１の波長成分測定手段によって測定された波長成分における上記所定の波長領域の光が、上記目標波長成分における上記所定の波長領域の光の光量よりも少ないとき、上記目標波長成分における上記所定の波長領域の光の光量よりも光量が少ない波長領域の光の光量を増加させ、
上記第１の波長成分測定手段によって測定された波長成分における上記所定の波長領域の光が、上記目標波長成分における上記所定の波長領域の光の光量よりも多いとき、上記補光手段に供給する電流を停止させることを特徴とする請求項２に記載の補光システム。
【請求項４】
露天下での晴天時の日中の光の波長成分を測定する第２の波長成分測定手段を備えるとともに、
上記光量制御手段は、
第１閾値および第１閾値よりも小さい第２閾値によって、上記第２の波長成分測定手段によって測定された波長成分が、晴天時における日中の光の波長成分であるか、晴天時以外の日中の光の波長成分であるか、夜間の光の波長成分であるかを判定する判定部とを備え、
上記第２の波長成分測定手段によって測定された波長成分が晴天時における日中の光の波長成分であると判定した場合、該波長成分に基づいて上記目標波長成分を更新し、
上記第２の波長成分測定手段によって測定された波長成分が晴天時以外における日中の光の波長成分であると判定した場合、上記比較結果に応じて、上記補光手段から照射される光の光量を制御し、
上記第２の波長成分測定手段によって測定された波長成分が夜間の光の波長成分であると判定した場合、上記補光手段に供給する電流を停止させることを特徴とする請求項１〜３の何れか１項に記載の補光システム。
【請求項５】
上記波長成分測定手段は、特定の波長領域の光を透過させるフィルタを備え、該フィルタを透過した光の光量を測定することを特徴とする請求項１〜４の何れか１項に記載の補光システム。
【発明の詳細な説明】
【技術分野】
【０００１】
本発明は、被覆部材で被覆された植物に光を照射する補光システムに関する。
【背景技術】
【０００２】
農作物の栽培方法の一つとして、直射日光を遮って栽培を行う被覆栽培（遮光栽培）が知られている。例えば、チャの栽培では、加工品である茶の品質を向上させるため、チャ樹を被覆資材（遮光資材）で被覆し、一定期間、日光を遮断する。
【０００３】
被覆期間によって茶の種類が変わり、例えば、抹茶の原料となる碾茶で３０日、玉露で２０日、かぶせ茶で７日ほどである。また、茶の種類によって、被覆期間だけでなく、遮光率も異なる。一例として、例えば、かぶせ茶の場合、遮光率５５〜８０％程度で７日間ほど被覆され、玉露や碾茶の場合、最初に遮光率５５〜８０％程度で１０日間程被覆し、その後、被覆資材を２枚掛けする等して、遮光率を９０％以上、例えば９５〜９８％程度にまで高める。
【０００４】
チャ樹は、被覆栽培によって日光が遮断されると、葉緑素の分解速度が低下して濃緑色になるとともに、チャ葉が薄く柔らかくなる。また、酵素の活性が低下してテアニン（グルタミン酸エチルアミド）からタンニン等のカテキン類への合成が抑制される。
【０００５】
茶の旨味成分は主に、テアニン、グルタミン酸、アルギニン等のアミノ酸類であり、そのなかでも、テアニンが代表的な成分である。テアニンは茶樹の根で生成されて新芽に移行して蓄積される。新芽中に蓄積されたテアニンが生合成によってカテキン類に変換されると、テアニンの蓄積量が減少して、カテキン類の含有量が増大する。タンニン等のカテキオン類は、茶の渋味成分となる。
【０００６】
このため、新芽の生育初期に、被覆によってチャ葉に届く日光の量を制限すると、チャのアミノ酸含有量が高まり、渋みが少なく、外観や香味に優れた、高品質の茶を製造することができる。
【０００７】
しかしながら、被覆期間中に曇天・雨天が多いと、被覆の効果が抑制され、品質向上効果が減少する。上述したようにチャの被覆期間は短い。しかしながら、この短い被覆期間の天候次第でチャの品質にばらつきが生じることから、収益が安定せず、このことが茶農家の負担となっている。
【０００８】
特許文献１には、チャのカテキン類の生成を抑制しつつ、テアニンを含む遊離アミノ酸の蓄積量を増大させる方法として、夜間、チャ樹に、平均１００ｌｘ以下の照度の光を照射することで、光合成を行うチャ樹を活性化させる方法が開示されている。
【０００９】
また、特許文献２〜特許文献７は、太陽光の環境が、照度等の明るさとスペクトルバランスという２つの要素を持つことに着目し、スペクトルバランスの観点から補光を行うことを提案している。
【００１０】
特許文献２は、太陽光の可視光のスペクトルバランスに着目し、植物の健全な生育のためには、赤色光（Ｒ光）と青色光（Ｂ光）とがバランス良く配合されていることが望ましく、また、光合成能力の大きい波長を増幅することで植物の育成が促進されるとして、太陽光併用型の栽培ハウス内において、Ｒ光、Ｂ光、および遠赤色光（ＦＲ光）のうち少なくとも一種を含む光を、透過太陽光のＲ光／Ｂ光の比、およびＲ光／ＦＲ光の比がともに小さくなるように補光することを提案している。
【００１１】
特許文献３は、太陽光が照射されない時間帯に、植物に対し、ＦＲ光、Ｒ光、およびＢ光の混合光を、ＦＲ光の放射照度がＲ光およびＢ光の各放射照度以上となるように照射することを提案している。
【００１２】
また、特許文献４は、長日植物に対して、夜間にＦＲ光のみを補光することを提案している。
【００１３】
特許文献５は、徒長を伴う低日照条件下での葉菜類の栽培において、被覆資材に遠赤色光カットフィルムを用いる等して昼間にＦＲ光を減らすか、もしくは、完全人工光型の栽培施設での葉菜類の栽培において、昼間に相当する時間帯に、波長７００ｎｍよりも長波長の光のうち、少なくとも波長７００〜８００ｎｍの遠赤色光を含まないか減らした照明光を照射し、夜間に相当する時間帯にＢ光を照射することを提案している。
【００１４】
特許文献６は、照射する光の全放射エネルギー量に対する、６００〜７００ｎｍの波長域の光放射エネルー量および５００〜６００ｎｍの波長域の光放射エネルー量が所定の範囲内となるように、白色発光ダイオードと赤色発光ダイオードとを光源とする２種類の光を照射することを提案している。
【００１５】
また、特許文献７は、太陽から放射される光のうち光合成の光化学系に関与する波長域の光の強度を測定し、該強度と予め設定された光の強度とを比較した結果に基づいて、植物の光合成促進に必要かつ最小限の補光を行うことで、補光に要するコストを低減することを提案している。
【先行技術文献】
【特許文献】
【００１６】
【特許文献１】特開２０１０−２７９２９５号公報（２０１０年１２月１６日公開）
【特許文献２】特開２００７−２２２０３９号公報（２００７年９月６日公開）
【特許文献３】特開２０１１−１０１６１６号公報（２０１１年５月２６日公開）
【特許文献４】特開２００５−９５１３２号公報（２００５年４月１４日公開）
【特許文献５】特開２００６−３４０６８９号公報（２００６年１２月２１日公開）
【特許文献６】特許第５１０２１９０号公報（２０１２年１０月５日登録）
【特許文献７】特開平６−２０９６５４号公報（１９９４年８月２日公開）
【発明の概要】
【発明が解決しようとする課題】
【００１７】
しかしながら、植物種によって反応は様々であり、文献によって補光条件が種々異なるとともに、必ずしも上記の条件で良い効果が得られるとは限らない。また、実際の運用においては、選択の幅が広すぎて、補光の目標値を決めることが困難である。
【００１８】
また、特許文献１は、チャ樹を予備活性化することで遊離アミノ酸の蓄積量を増大させるものであり、被覆期間中の天候そのものには関係がない。また、特許文献３〜５も、特許文献１同様、夜間に補光を行っている。
【００１９】
なお、特許文献２、６、７、および、特許文献５において完全人工光型の栽培施設で葉菜類の栽培を行う場合には、日中に補光を行うことが開示されているが、晴天時には光量が大きいため、補光量も大きくなり、ランニングコストが膨大になる。
【００２０】
本発明は、上記問題点に鑑みなされたものであり、その目的は、被覆栽培時に晴天時以外の日中の光スペクトルを晴天時の日中の光スペクトルに近づけることで、天候による栽培条件の振れ幅を小さくし、かつ、補光量を少なく抑えることにある。
【課題を解決するための手段】
【００２１】
上記の課題を解決するために、本発明の一態様にかかる補光システムは、被覆部材で被覆された植物に、上記被覆部材による被覆下で、晴天時以外の日中に、晴天時の日中に対して光量が不足している波長領域における予め設定された所定の波長領域の光を照射する補光システムであって、上記被覆部材で被覆された植物に、上記所定の波長領域の光を照射する補光手段と、上記被覆部材を介して上記植物に照射される光の波長成分を測定する第１の波長成分測定手段と、晴天時の日中の光の波長成分から目標波長成分として設定された、上記被覆部材による被覆下での上記所定の波長領域の光の光量と、上記第１の波長成分測定手段によって測定された波長成分における上記所定の波長領域の光の光量とを比較した比較結果に応じて、上記補光手段から照射される光の光量を制御する光量制御手段とを備えている。
【発明の効果】
【００２２】
本発明の一態様によれば、上記第１の波長成分測定手段によって測定された波長成分における上記所定の波長領域の光の光量とを比較した比較結果に応じて、上記補光手段から照射される光の光量を制御することで、晴天時以外の日中に光量が不足する波長領域の光の光量を補うことができる。
【００２３】
これにより、晴天時以外の日中の波長成分を晴天時の日中の波長成分に近づけることができ、天候による栽培条件の振れ幅を小さくし、収穫物である植物の品質のばらつきを抑えることができる。
【００２４】
また、被覆下かつ晴天時以外の日中をターゲットとして補光を行うため、全体の光量が少なく、補光量も少なく抑えることができる。
【図面の簡単な説明】
【００２５】
【図１】実施形態１にかかる補光システムの要部の概略構成を示すブロック図である。
【図２】実施形態１にかかる補光システムの要部の概略構成を示す模式図である。
【図３】晴天時の日中の光スペクトルと曇天時の日中の光スペクトルとの対比および曇天時における日中の補光成分の光量を示すグラフである。
【図４】実施形態１にかかる補光システムにおける補光処理の流れを示すフローチャートである。
【図５】実施形態２にかかる補光システムの要部の概略構成を示すブロック図である。
【図６】実施形態２にかかる補光システムの要部の概略構成を示す模式図である。
【図７】実施形態２にかかる補光システムにおける補光処理の流れを示すフローチャートである。
【図８】実施形態３にかかる補光システムの要部の概略構成を示す模式図である。
【図９】実施形態４にかかる補光システムの要部の概略構成を示す模式図である。
【図１０】実施形態４にかかる補光システムの要部の概略構成を示す他の模式図である。
【図１１】実施形態４にかかる補光システムによる補光処理の様子を示す模式図である。
【図１２】実施形態５にかかる補光システムの要部の概略構成を示す模式図である。
【図１３】（ａ）・（ｂ）は、実施形態５にかかる光量測定器でＦＲ光の光量を測定する方法を説明するグラフであり、（ａ）は、フィルタリング前の波長成分を示し、（ｂ）は、フィルタリング後の波長成分を示す。
【図１４】（ａ）は、ＰＰＦＤ測定用のフィルタを通過させたときの波長成分を示すグラフであり、（ｂ）は、ＦＲ光測定用のフォルタを通過させたときの波長成分を示すグラフであり、（ｃ）は、Ｒ光測定用のフォルタを通過させたときの波長成分を示すグラフである。
【発明を実施するための形態】
【００２６】
以下、本発明の実施形態について、詳細に説明する。
【００２７】
〔実施形態１〕
本発明の一実施形態において、図１〜図４に基づいて説明すれば、以下の通りである。
【００２８】
本実施形態にかかる補光システムは、被覆資材により植物を被覆して栽培を行う植物の被覆栽培に使用される補光システムである。
【００２９】
以下、本実施形態では、チャの被覆栽培（遮光栽培）を行う場合を例に挙げて説明するものとするが、本実施形態は、これに限定されるものではない。
【００３０】
前述したように、チャの栽培では、加工品である茶の品質を上げるため、被覆資材により外光の入射率を所定の入射率に制限して栽培を行う、いわゆる被覆栽培（遮光栽培）が行われる。なお、被覆資材による外光の透過率（入射率）または遮光率は、生産される茶の種類や立地（生産地）、生産時期等に応じて適宜設定されるものであり、特に限定されるものではない。
【００３１】
被覆栽培を行うと、テアニン等のチャのアミノ酸含有量が高まり、茶品質（味）が向上する。このため、チャの栽培では、被覆資材によりチャを被覆した状態でチャの栽培が行われる。チャの栽培において、被覆期間及び遮光率は、加工品である茶の種類に応じて適宜決定される。
【００３２】
しかしながら、被覆期間中に晴天が少ない（例えば曇天が多い）と、被覆の効果が抑制され、品質向上効果が減少する。
【００３３】
図３は、晴天時の日中の光スペクトル（波長成分）と曇天時の日中の光スペクトルとの対比および曇天時における日中の補光成分の光量を示すグラフである。なお、図３は、何れも、被覆下での光スペクトルを示している。
【００３４】
図３から判るように、曇天時には、太陽光のうち、６００ｎｍ〜８００ｎｍの長波長成分である、赤色光（Ｒ光、６００ｎｍ〜７００ｎｍ）および遠赤色光（ＦＲ光、７００ｎｍ〜８００ｎｍ）の割合が減少する。
【００３５】
したがって、これら長波長成分の低下が、被覆栽培の品質向上効果が減少する一因となっていると考えられる。
【００３６】
〈実験例〉
そこで、曇天・雨天時に不足する長波長成分を補うことによる補光効果を確認するために、実際にチャ畑（露地）で補光実験を行った。以下に、この補光実験の結果について説明する。
【００３７】
（実験条件）
なお、本実験は、長波長成分の補光による効果を見るためのものであり、実験条件並びに実験設備を簡略化するため、ＦＲ光のみ補光を行うとともに、晴天時にもＦＲ光を照射した。
【００３８】
実験には２番茶を使用し、７月４日から７月１０日の７日間、実験区のチャ樹に、被覆下で、日中のみＦＲ光を補光した。また、参照区として、被覆および補光しない以外は実験区と同じ条件とした露天栽培区を設けるとともに、対照区として、補光しない以外は実験区と同じ条件とした被覆栽培区を設けた。なお、実験期間中の日射時間は、１日平均３〜４時間であった。
【００３９】
また、実験区におけるＰＰＦＤに対するＦＲ光の比率は４３％とした。なお、実験期間中における、各区における晴天時のＰＰＦＤに対するＦＲ光の比率は３７％であり、補光しないときの曇天時のＰＰＦＤに対するＦＲ光の比率は３１％であった。
【００４０】
なお、ＰＰＦＤとは、光合成有効光量子束密度（単位：μｍｏｌ・ｍ−２・ｓ−１）であり、図３に示すように、４００〜７００ｎｍまでの波長領域の光量子束密度を示す。
【００４１】
（実験結果）
上記補光実験の結果を表１に示す。
【００４２】
【表１】
2014168405.tif 000003
【００４３】
上述したように、実験期間中は日照時間が平均３〜４時間と、曇天が多く、ＦＲ光を補光した実験区の方が、茶葉中のテアニンの含有量が多かった。なお、前述したように、テアニンは、その含有量と茶の品質との相関が高いとされるアミノ酸である。
【００４４】
表１に示す結果から、曇天・雨天が多い場合に、日中、被覆（遮光）下でＦＲ光を補光することで、茶品質が向上、あるいは、晴天時の茶品質を維持できることが判る。
【００４５】
したがって、直接のメカニズムは不明だが、上記の結果から、晴天時以外の日中の長波長成分の低下が、被覆栽培の品質向上効果が減少する一因となっていることが確認できた。
【００４６】
このことから、曇天時または雨天時（つまり、晴天時以外）の日中の光スペクトルを晴天時の日中のスペクトルに近づけることで、天候による栽培条件の振れ幅を小さくし、収穫物である茶の品質のばらつきを抑えることができる一方、補光量を少なく抑えることができることが判る。
【００４７】
そこで、本実施形態では、晴天時以外の日中の栽培条件を、晴天時の日中の栽培条件に近づけるためのアプローチを行う。なお、以下、記載の簡略化のために、晴天時以外の天候を曇天と記し、曇天には、雨天も含まれるものとする。
【００４８】
晴天時以外の日中の栽培条件を、晴天時の日中の栽培条件に近づけるためには、図３に示すように、被覆栽培下でチャが受けている光のスペクトルを測定し、曇天時に不足している長波長成分を補う必要がある。
【００４９】
曇天時の補光量は、曇天時に測定されたスペクトルと、晴天時を参考に設定された、目標となるスペクトルとの比較から決定する。
【００５０】
このためには、まず、晴天時の光スペクトルを参考に、目標とする光スペクトル（目標スペクトル）を設定する。次いで、測定した曇天時の光スペクトルを、目標スペクトルと比較することにより、曇天時に不足する長波長成分を補う。
【００５１】
しかながら、目標スペクトルを完全に再現することは困難である。このため、図３に示すように、ある程度の波長で区切り、その区画内の波長の光の総光量を合わせる。一例として、図３に示すように１００ｎｍごとに波長を区切る方法が考えられる。
【００５２】
このとき、被覆下での光スペクトルは、被覆状態等、天候以外の要因によっても変化する。このため、被覆下での晴天時の光スペクトルを基準にして目標スペクトルを設定すると、スペクトルの測定位置によって目標スペクトルそのものの値が変わってしまう。そこで、本実施形態では、晴天時かつ露天下における光スペクトルを用いて補光の基準となる目標スペクトルを設定する。
【００５３】
しかしながら、実際には晴天時かつ露天下の光量と、曇天時かつ被覆下の光量との間には非常に大きな差がある。
【００５４】
このため、晴天時かつ露天下における光スペクトルと、曇天時かつ被覆下の光スペクトルとを比較するためには、光量のスケールを揃える必要がある。
【００５５】
そこで、本実施形態では、このスケールを揃える際に、上述したＰＰＦＤ（光合成有効光量子束密度、単位：μｍｏｌ・ｍ−２・ｓ−１）を基準として利用する。
【００５６】
具体的には、晴天時かつ露天下における日中の光スペクトルのＰＰＦＤをＦ、被覆下の日中の光スペクトルのＰＰＦＤをＳとすると、晴天時かつ露天下における日中の光スペクトルの各成分に、Ｓ／Ｆを乗じる。この結果得られた光スペクトルを目標スペクトルとして設定・記憶することで、目標スペクトルのＰＰＦＤをＳに揃える。
【００５７】
これにより、晴天時かつ露天下における日中の光のＰＰＦＤと被覆下の日中の光のＰＰＦＤとでスケールを揃えることができ、晴天時かつ露天下における日中の光スペクトルを基に目標スペクトルを設定することができる。
【００５８】
したがって、被覆下の日中の光スペクトルを目標スペクトルと比較し、目標スペクトルに対して不足する長波長成分を補うことで、チャの被覆栽培において、曇天時にも、晴天時と同じスペクトルをもたらすことができる。これにより、天候による栽培条件の振れ幅を小さくし、収穫物である茶の品質のばらつきを抑えることができるとともに、補光量を少なく抑えることができる。
【００５９】
以下に、本実施形態にかかる補光システムの概略構成について説明する。
【００６０】
〈補光システムの概略構成〉
図１は、本実施形態にかかる補光システム１の要部の概略構成を示すブロック図である。また、図２は、本実施形態にかかる補光システム１の要部の概略構成を示す模式図である。なお、図２では、光量測定器２００およびその設置部を枠で囲んで部分的に拡大して示している。
【００６１】
本実施形態にかかる補光システムは、上述したように、光照射の対象物に対して、常に当該対象物にとって適切な光スペクトル（波長成分）となる光を照射するために、不足している光スペクトルを補うためのシステムである。
【００６２】
図１に示すように、本実施形態にかかる補光システム１は、給電器１００（光量制御手段）、光量測定器２００（第１の波長成分測定手段）、補光器３００（補光手段）、および被覆資材４００（被覆部材）を備えている。
【００６３】
以下、補光システム１の各部（各装置）の概略構成について説明する。
【００６４】
〈被覆資材４００〉
まず、被覆資材４００について説明する。被覆資材４００は、補光システム１による光照射（補光）対象物となる、被覆栽培される植物の被覆に使用される被覆部材である。被覆資材４００は、被覆栽培される植物の育成に適した外光の透過率（入射率）または遮光率が得られるように、適宜、選択、設計される。
【００６５】
本実施形態では、生産される茶の種類や生産環境に応じて、使用する被覆資材４００が決定される。本実施形態で使用される被覆資材４００としては、従来、チャの被覆栽培に使用されている常用もしくは公知の遮光部材等の被覆資材を使用することができる。
【００６６】
被覆資材４００としては、特に限定されるものではないが、例えば、寒冷紗、ネット、不織布、織布、藁、葦、よしず等を、単独で、または組み合わせて使用することができる。そのなかでも、遮熱効果を有する黒寒冷紗等の寒冷紗、シルバー不織布等の銀色資材が好適に用いられる。
【００６７】
被覆資材４００は、被覆栽培される植物を被覆することができる大きさを有していればよく、被覆資材４００による被覆方法は、被覆栽培される植物を被覆することができれば、特に限定されるものではない。
【００６８】
被覆資材４００による被覆方法としては、被覆資材４００によって被覆される植物の本数や大きさ、立地条件等に応じて適宜選択、決定すればよい。該被覆方法としては、例えば、棚がけ被覆、トンネル被覆等、被覆資材４００が、チャ株やチャ樹等の被覆対象物（光照射対象物）に接触しないように浮いた状態（離間した状態）で被覆資材４００を固定する、いわゆる浮きがけ被覆であってもよく、被覆対象物上に被覆資材４００を直接展張し、固定部材で固定する直がけ被覆であってもよい。
【００６９】
図２では、被覆栽培されるチャ２が、複数本、線状に植栽されている様子を示している。
【００７０】
この場合、例えば、チャ２の大きさによって、チャ２の周囲に、チャ２から適宜距離を隔てて、図示しない複数の支柱を、例えばトンネル状あるいは棚状に設置したりハウス状に組み立てたりする等し、その天井部および周囲部に被覆資材４００を着脱可能に取り付けることで、被覆資材４００によって外光を所定の入射率となるように調節することができる。また、該被覆資材４００あるいは図示しない支柱に補光器３００を取り付けることで、チャ２に効率良く光を照射することができるので、補光効率を向上させることができる。
【００７１】
〈光量測定器２００〉
次に、光量測定器２００について説明する。なお、給電器１００については、後で詳述する。
【００７２】
チャが受ける光のスペクトルは、光量測定器２００によって測定される。光量測定器２００は、被覆資材４００による被覆下での光スペクトル（被覆下スペクトル）を測定する被覆下スペクトル測定部である。
【００７３】
光量測定器２００には、例えば公知のフォトディテクタが使用される。光量測定器２００は、図２に一部拡大して示すように、受光部２０１を備え、受光部２０１を上面として、被覆資材４００で覆われたチャ２の樹冠面３に設置される。
【００７４】
なお、光量測定器２００は、光照射対象物である植物（チャ２）の近傍に配置されることが望ましい。これにより、上記植物（チャ２）に実際に照射される波長領域の光スペクトルを正確に検出することができる。
【００７５】
〈補光器３００〉
補光器３００は、給電器１００に接続された配線３０１、および、該配線３０１に取り付けられた、補光用の光源としての複数のＬＥＤ（発光ダイオード）３０２を備えている。
【００７６】
本実施形態にかかる補光器３００は、ＬＥＤ３０２として、Ｒ成分（Ｒ光）補光用のＬＥＤおよびＦＲ成分（ＦＲ光）補光用のＬＥＤとして、赤色（Ｒ）ＬＥＤや遠赤色（ＦＲ）ＬＥＤを備えている。補光器３００は、これらＬＥＤ３０２に供給される電流が、Ｒ成分補光用のＬＥＤとＦＲ成分補光用のＬＥＤとで、それぞれ独立して制御可能であり、それぞれ独立して点灯（電流ＯＮ（オン））および消灯（電流ＯＦＦ（オフ））が可能に設けられている。このため、Ｒ光およびＦＲ光を独立して制御できるとともに、何れか一方の波長の光のみを補光することも可能となっている。
【００７７】
上述したように、ＦＲ光を補光することで、チャ葉中のテアニンの含有量を増加させることができる。また、Ｒ光の効果としては、植物の種類にもよるが、一般的には、成長促進効果が知られている。
【００７８】
ＬＥＤ３０２は被覆資材４００の内側に設置され、給電器１００における後述する電源制御部１６（図１参照）により、ＬＥＤ３０２に供給される電流値を制御することによって、照射光量の調節が行われる。
【００７９】
なお、本実施形態では、図２に示すように、給電器１００に複数本の配線３０１が接続されているとともに、１本の配線３０１に複数のＬＥＤ３０２が設けられている場合を例に挙げて図示している。しかしながら、配線３０１の数やＬＥＤ３０２の数は、被覆資材４００で覆われたチャ２の本数や大きさ等に応じて適宜設定すればよく、特に限定されるものではない。
【００８０】
これら配線３０１およびＬＥＤ３０２は、被覆資材４００あるいは図示しない支柱等に取り付けることで、被覆資材４００の内部の天井部（天井位置）に設けられる。
【００８１】
すなわち、補光器３００は、被覆資材４００に直接取り付けられることで、被覆資材４００と一体的に形成されていてもよく、被覆資材４００とは別に設けられていてもよい。つまり、上記補光システム１は、全体で１つの装置を構成していてもよく、被覆資材４００を、その他の装置とは別に備えていてもよい。
【００８２】
なお、上記補光用の光源としては、波長選択が容易で、有効波長域の光エネルギーが占める割合が大きな光を放射するＬＥＤが好適に使用される。しかしながら、所望の波長領域の光を照射することができれば、ＬＥＤ以外の光源を使用しても構わない。
【００８３】
〈給電器１００〉
給電器１００は、図１に示すように、被覆下スペクトルを記憶する第１記憶部１１、晴天時露天下スペクトルを記憶する第２記憶部１２、目標スペクトルを記憶する第３記憶部１３、補光器３００を制御するための補光制御信号を生成する補光制御信号生成部１４、補光制御信号生成部１４を駆動させるためのトリガとなる信号としてタイマ信号を出力するタイマ部１５、補光制御信号生成部１４によって生成された補光制御信号に応じて電源制御信号を生成する電源制御部１６（光量調整部）、電源制御部１６からの電源制御信号により補光器３００に対して電源信号を出力する電源部１７を含んでいる。
【００８４】
ここで、第１記憶部１１に記憶される被覆下スペクトルとは、前述したように、光量測定器２００によって測定される、被覆資材４００による被覆下での光スペクトルである。本実施形態では、第１記憶部１１には、光量測定器２００によって測定された測定値、すなわち、光照射対象物であるチャ２が、遮光性の被覆資材４００によって被覆された状態で、チャ２に照射される光の波長ごとの光量が、被覆下スペクトル（つまり、遮光下スペクトル）として記憶される。
【００８５】
また、第２記憶部１２に記憶される晴天時露天下スペクトルとは、晴天時における露天下での日中の光のスペクトルである。本実施形態では、この晴天時露天下スペクトルが、第２記憶部１２に予め記憶されている。
【００８６】
第３記憶部１３に記憶される目標スペクトルは、前述したように、晴天時かつ露天下における日中の光スペクトルのＰＰＦＤをＦ、被覆下の日中の光スペクトルのＰＰＦＤをＳとしたときに、晴天時かつ露天下における日中の光スペクトルの各成分に、Ｓ／Ｆを乗じた結果、得られた光スペクトルである。
【００８７】
なお、第１記憶部１１および第３記憶部１３としては、書き換え可能な記憶媒体が用いられる。一方、第２記憶部１２に用いられる記録媒体としては、読み出しが可能であればよく、必ずしも書き換え可能である必要はない。なお、第２記憶部１２は、通信手段を用いて書き換え可能に形成されていてもよい。
【００８８】
ＰＰＦＤは、例えば、夏場と冬場等、季節によって変化する。このため、第２記憶部１２には、例えば季節ごとの晴天時露天下スペクトルが記憶されていることが望ましく、例えば季節ごとや地域ごと等に、複数の晴天時露天下スペクトルが記憶されていることが望ましい。
【００８９】
なお、前述したように、目標スペクトルを完全に再現することは困難である。このため、目標スペクトルの算出に用いられる光スペクトル（つまり、波長ごとの光量）は、図３に示したように、ある程度の波長（例えば１００ｎｍごと）で区切ることで、その区画内の波長の光の総光量が用いられる。
【００９０】
また、補光制御信号生成部１４は、図１に示すように、目標スペクトル設定部２１と、判定部２２（第１判定部、光量比較部）とを備えている。
【００９１】
目標スペクトル設定部２１は、タイマ部１５からの信号をトリガにして、第１記憶部１１に記憶される被覆下スペクトルと、第２記憶部１２に記憶された晴天時露天下スペクトルとから、目標スペクトルを設定する。
【００９２】
判定部２２は、第３記憶部１３に記憶された目標スペクトルと、第１記憶部１１に記憶された被覆下スペクトルとを比較し、被覆下スペクトルが目標スペクトルよりも少ないか否かを判定し、この判定結果を補光制御信号として電源制御部１６に出力する。なお、ここで、被覆下スペクトルと目標スペクトルとは、スペクトル成分ごと（つまり、上述したように一定範囲の波長領域ごと）に行われる。本実施形態では、Ｒ成分（Ｒ光）およびＦＲ成分（ＦＲ光）に対し、それぞれ、被覆下スペクトルと目標スペクトルとの比較が行われる。本実施形態では、Ｒ成分は６００〜７００ｎｍの波長の光とし、ＦＲ成分は、７００〜８００ｎｍの波長の光とする。
【００９３】
タイマ部１５は、時間計測を行い、予め設定された時間になったことを報知するための信号（タイマ信号）を上記補光制御信号生成部１４に出力するようになっている。なお、タイマ部１５に設定する時間は任意に設定可能である。
【００９４】
上記補光制御信号生成部１４は、判定部２２によって、被覆下スペクトルが目標スペクトルに対して少ないか否かを比較した結果を補光制御信号として電源制御部１６に出力する。
【００９５】
電源制御部１６は、補光制御信号生成部１４からの補光制御信号、すなわち、目標スペクトルと被覆下スペクトルとを比較した結果を示す信号に応じて、電源部１７を制御するための電源制御信号を出力する。
【００９６】
具体的には、被覆下スペクトルが目標スペクトルよりも少ないとき、上記補光器３００に供給する電流を増加させる電源制御信号を電源部１７に出力し、被覆下スペクトルが目標スペクトルよりも少なくないとき、つまり、被覆下スペクトルが、目標スペクトルと同じか目標スペクトルよりも多いとき、上記補光器３００に供給する電流を減少させる電源制御信号を電源部１７に出力する。
【００９７】
電源部１７は、電源制御部１６からの電源制御信号に応じて、補光器３００に供給する電流を制御する。なお、前述したように、補光器３００は、ＬＥＤ３０２として、Ｒ成分補光用のＬＥＤおよびＦＲ成分補光用のＬＥＤを備えている。電源部１７は、電源制御部１６からの電源制御信号に応じて、Ｒ成分補光用のＬＥＤおよびＦＲ成分補光用のＬＥＤに供給される電流値をそれぞれ制御することで、Ｒ成分補光用のＬＥＤおよびＦＲ成分補光用のＬＥＤにおける照射光量を、それぞれ独立して調節する。
【００９８】
〈補光処理〉
次に、上記補光システム１における補光処理の流れについて、図４を参照して以下に説明する。図４は、上記補光システム１における補光処理の流れを示すフローチャートである。
【００９９】
まず、タイマ部１５から、タイマ信号の入力をトリガとして、第１記憶部１１に記憶された被覆下スペクトルと、第２記憶部１２に記憶された晴天時露天下スペクトルとを取得する（ステップＳ１）。
【０１００】
次に、取得した被覆下スペクトルと晴天時露天下スペクトルとから、補光の目標となる目標スペクトルを設定する（ステップＳ２）。この目標スペクトルは、Ｒ成分、ＦＲ成分ごとに設定され、上記第３記憶部１３に記憶される。具体的には、晴天時露天下スペクトルのＰＰＦＤをＦ、第１記憶部１１に記憶された被覆下スペクトルのＰＰＦＤをＳとしたときに、晴天時露天下スペクトルの各成分にＳ／Ｆを乗じることで、目標スペクトルを求める。ここでは、晴天時露天下スペクトルのＲ成分およびＦＲ成分にそれぞれＳ／Ｆを乗じることで、目標スペクトルのＲ成分およびＦＲ成分を求める。
【０１０１】
続いて、第１記憶部１１に記憶された被覆下スペクトルと、第３記憶部に記憶された目標スペクトルとを比較する（Ｓ３）。ここでは、被覆下スペクトルが目標スペクトルに対して少ないか否かを、スペクトルのＲ成分、ＦＲ成分ごとに比較する。
【０１０２】
まず、被覆下スペクトルのＲ成分が目標スペクトルのＲ成分よりも少ないか否かを判定する（ステップＳ４）。ここで、Ｒ成分が少ないと判定された場合（つまり、ＹＥＳの場合）、Ｒ成分用のＬＥＤ供給電流の増加制御を行う（ステップＳ５）。具体的には、補光器３００内のＲ成分補光用のＬＥＤに供給する電流を増加させる。
【０１０３】
一方、ステップＳ４において、被覆下スペクトルのＲ成分が目標スペクトルのＲ成分よりも少なくないと判定された場合（つまり、ＮＯの場合）、続いて、ＦＲ成分が少ないか否かを判定する（ステップＳ６）。ここで、ＦＲ成分が少ないと判定された場合（つまり、ＹＥＳの場合）、ＦＲ成分用のＬＥＤ供給電流の増加制御を行う（ステップＳ７）。具体的には、補光器３００内のＦＲ成分補光用のＬＥＤに供給する電流を増加させる。
【０１０４】
なお、ステップＳ５およびステップＳ７において、電流の増加は、予め設定された割合で行うものとする。但し、電流の増加の割合については、被覆下スペクトルが目標スペクトルに対してどの程度少ないかを考慮してその都度求めるようにしてもよい。上記電流の増加には、０Ｖからの電流の増加、つまり、ＬＥＤ３０２の電流ＯＮも含まれる。
【０１０５】
ステップＳ５、ステップＳ７の処理が終了すれば、再びステップＳ２に移行して、目標スペクトルの設定を行う。
【０１０６】
また、ステップＳ６において、ＦＲ成分が少なくないと判定された場合（つまり、ＮＯの場合）、全てのＬＥＤ供給電流を減少させ（ステップＳ８）、再び、ステップＳ１に移行し、再び被覆下データを取得し、タイマ部１５から予め設定された時間になったことを報知するための信号（タイマ信号）が再度入力されるまで、補光処理を続ける。
【０１０７】
なお、ステップＳ８において、電流の減少は、予め設定された割合で行うものとする。但し、電流の減少の割合については、被覆下スペクトルが目標スペクトルに対してどの程度多いかを考慮してその都度求めるようにしてもよい。上記電流の減少には、ＬＥＤ３０２の電流ＯＦＦも含まれる。つまり、ステップＳ６において、ＦＲ成分が少なくないと判定された場合には、晴天であると判断してＬＥＤ３０２に供給する電流を停止させてもよい。
【０１０８】
なお、図４では、被覆下スペクトルと目標スペクトルとの比較を、Ｒ成分、ＦＲ成分の順に行っているが、これに限定されるものではなく、判定の順番は逆であってもよいし、あるいは並列に行ってもよい。
【０１０９】
〈効果〉
上記補光システム１によれば、上述したように、晴天時露天下スペクトルのＰＰＦＤをＦ、遮光下スペクトルのＰＰＦＤをＳとすると、晴天時露天下スペクトルにＳ／Ｆを乗じることで、目標スペクトルのＰＰＦＤをＳに揃えることができる。
【０１１０】
これにより、上記被覆下スペクトルと、晴天時露天下スペクトルとから、目標スペクトルとして、上記被覆資材４００による被覆下での晴天時の日中の光のスペクトルを設定することができる。
【０１１１】
上記補光システム１によれば、上述したように、晴天時の日中の光スペクトルを参考に目標スペクトルを設定し、遮光下スペクトルを上記目標スペクトルと比較することにより、曇天時に不足する波長成分（つまり、曇天時に光量が不足する波長領域の光の光量）を補うことができる。
【０１１２】
これにより、曇天時（つまり、晴天時以外）の日中の光スペクトルを晴天時の日中のスペクトルに近づけることができ、天候による栽培条件の振れ幅を小さくし、収穫物である茶の品質のばらつきを抑えることができる。
【０１１３】
また、被覆（遮光）下かつ曇天時（つまり、晴天時以外）の日中をターゲットとして補光を行うため、全体の光量が少なく、補光量も少なく抑えることができる。
【０１１４】
〈変形例〉
なお、上記補光システム１は、上述したように、タイマ部１５が、時間計測を行い、予め設定された時間にタイマ信号を補光制御信号生成部１４に出力するものであってもよく、図１に点線で示すように、給電器１００が、第４記憶部１８をさらに備え、年間の日の出および日の入り時間を第４記憶部１８に記憶させておき、タイマ部１５により日時を計測し、日の入り時刻になるとＬＥＤ３０２を点灯させ、日の入り時刻になるとＬＥＤ３０２を消灯させる構成を有していてもよい。
【０１１５】
〔実施形態２〕
本発明の他の実施形態について、図５〜図８に基づいて説明すれば、以下の通りである。なお、説明の便宜上、実施形態１で説明した部材と同じ機能を有する部材については、同じ符号を付記し、その説明を省略する。
【０１１６】
実施形態１では、晴天時露天下スペクトルを予め測定しておき、第２記憶部１２に予め入力・記憶させることで、該第２記憶部１２に予め記憶された晴天時露天下スペクトルを用いて目標スペクトルを設定する場合について説明した。
【０１１７】
これに対し、本実施形態では、晴天時露天下スペクトルをリアルタイムで測定し、目標スペクトルの設定に用いる場合について説明する。
【０１１８】
〈補光システム１の概略構成〉
図５は、本実施形態にかかる補光システム１の要部の概略構成を示すブロック図である。また、図６および図８は、本実施形態にかかる補光システム１の要部の概略構成を示す模式図である。
【０１１９】
本実施形態にかかる補光システム１は、図５に示すように、給電器１００、被覆下スペクトルを測定する光量測定器２００、補光器３００、被覆資材４００、および、露天下スペクトルを測定する光量測定器５００（第２の波長成分測定手段）等を備えている。
【０１２０】
なお、図８に示すように、圃場に複数の補光システム１（補光装置）を設ける場合、各補光システム１は、１つの電源６００から電流供給が行われてもよく、それぞれ別個の電源から電流供給が行われてもよい。
【０１２１】
本実施形態にかかる補光システム１に含まれる給電器１００には、光量測定器５００によって測定された晴天時露天下スペクトルを用いて目標スペクトルを設定するための構成として、タイマ部１５に代えてタイマ部２０が設けられているとともに、第１判定部としての判定部２２に加えて、第２判定部として判定部１９が新たに追加されている。
【０１２２】
以下では、実施形態１と異なる構成について説明する。
【０１２３】
〈光量測定器５００〉
光量測定器５００は、露天下での光のスペクトル（つまり、上記補光システム１が設置される場所での露天下での光のスペクトル）を測定する露天下スペクトル測定部である。
【０１２４】
光量測定器５００は、被覆資材４００の外側に設けられ、被覆対象物（チャ２）を被覆しない場合に該被覆対象物が受ける光のスペクトルを測定する。
【０１２５】
光量測定器５００には、光量測定器２００と同じ種類の光量測定器が用いられる。光量測定器５００には、例えば公知のフォトディテクタが使用される。光量測定器５００は、受光部５０１を備え、受光部５０１を上面として、チャ２を覆う被覆資材４００の外側に設置される。
【０１２６】
〈判定部１９〉
判定部１９は、光量測定器５００によって測定された露天下スペクトルから、晴天か否か（つまり、晴天として十分な光量があるか否か）、日中か夜間か（つまり、日中として十分な光量があるか否か）を判定する。
【０１２７】
そして、判定部１９は、上記露天下スペクトルから、晴天（晴天かつ日中）と判定したとき（つまり、露天下スペクトルが晴天時露天下スペクトルであると判定したとき）、該露天下スペクトルを晴天時露天下スペクトルとして第２記憶部１２に記憶する。
【０１２８】
また、判定部１９は、上記露天下スペクトルから曇天（曇天かつ日中）と判定したとき（つまり、露天下スペクトルが曇天時露天下スペクトルであると判定したとき）、補光制御信号生成部１４に対して、補光処理（補光制御信号生成処理）の開始を指示する信号を出力する。なお、本実施形態でも、曇天とは、前述したように晴天でない場合を示し、雨天を含むものとする。
【０１２９】
また、判定部１９は、上記露天下スペクトルから夜間と判定したとき（つまり、露天下スペクトルが夜間スペクトルであると判定したとき）、電源制御部１６に対して、ＬＥＤ供給電流の停止を指示する信号を出力する。
【０１３０】
具体的には、判定部１９は、光量測定器５００から取得した露天下スペクトルが、予め設定された２つの閾値（第１閾値＞第２閾値）によって、晴天時露天下スペクトル、曇天時露天下スペクトル、夜間スペクトルの何れであるかを判定する。この判定処理の流れについては、後述する。
【０１３１】
上述したように、判定部１９における判定結果は、補光制御信号生成部１４にも出力され、該補光制御信号生成部１４における補光制御信号生成処理の開始のトリガにもなる。なお、この場合の判定結果は、上記露天下スペクトルが曇天時露天下スペクトルと判定されたときの信号である。
【０１３２】
〈タイマ部２０〉
タイマ部２０は、実施形態１で説明した給電器１００内のタイマ部１５と同様の働きをする。すなわち、タイマ部２０から判定部１９に出力されるタイマ信号は、判定部１９における判定処理開始のトリガ信号として用いられる。
【０１３３】
〈補光処理〉
次に、本実施形態にかかる補光システム１における補光処理の流れについて、図４および図７を参照して以下に説明する。図７は、本実施形態にかかる補光システム１における補光処理の流れを示すフローチャートである。
【０１３４】
本実施形態にかかる補光システム１における、ステップＳ１５で示す補光処理は、実施形態１において図４のフローチャートで説明した処理とほぼ同じであるが、補光処理を行う前に、給電器１００内の判定部１９（第２判定部）が行う、露天下スペクトルから、晴天か否か、日中か夜間かを判定する処理が追加されている。
【０１３５】
ここで、上記判定処理に用いる２つの閾値（第１閾値、第２閾値）は、それぞれ１０００μｍｏｌ・ｍ−２・ｓ−１、１０μｍｏｌ・ｍ−２・ｓ−１とする。
【０１３６】
まず、判定部１９は、光量測定器５００から露天データとして露天下スペクトルを取得する（ステップＳ１１）。ここで、判定部１９は、タイマ部２０によって、所定時間（例えば１時間ごと）記露天スペクトルを取得するものとする。
【０１３７】
次に、取得した露天スペクトルから、該露天スペクトルのＰＰＦＤが１０００μｍｏｌ・ｍ−２・ｓ−１以上であるか否かを判定する（ステップＳ１２）。ここで、ＰＰＦＤが１０００μｍｏｌ・ｍ−２・ｓ−１以上である場合（つまり、ＹＥＳの場合）、取得したＰＰＦＤが晴天時露天下スペクトルであると判定し、上記露天下スペクトルを、晴天時露天下スペクトルとして第２記憶部１２に記憶する（ステップ１３）。このとき、以前のデータ（つまり、晴天時露天下スペクトルのデータ）がある場合には更新する。
【０１３８】
このため、本実施形態１では、第２記憶部１２にも、第１記憶部１１および第３記憶部１３同様、書き換え可能な記憶媒体が用いられる。
【０１３９】
一方ステップＳ１２において、ＰＰＦＤが１０００μｍｏｌ・ｍ−２・ｓ−１以上でない場合（つまり、ＮＯの場合）、取得したＰＰＦＤが晴天時露天下スペクトルでないと判定し、さらに、上記ＰＰＦＤが１０μｍｏｌ・ｍ−２・ｓ−１以上であるか否かを判定する（ステップＳ１４）。ここで、上記ＰＰＦＤが１０μｍｏｌ・ｍ−２・ｓ−１以上である場合、曇天時かつ日中と判定し、ステップＳ１５に移行して、補光処理を行う。
【０１４０】
なお、ステップＳ１５における補光処理は、実施形態１で説明した補光処理、すなわち、図４に示すステップＳ１〜Ｓ７あるいはステップＳ１〜Ｓ８の処理と同じである。
【０１４１】
そして、ステップＳ１５における補光処理が終了すれば、再びステップＳ１１に移行する。すなわち、本実施形態では、図４に示すステップＳ６あるいはステップＳ８が終了すれば、再びステップＳ１１に移行する。
【０１４２】
また、ステップＳ１４において、ＰＰＦＤが１０μｍｏｌ・ｍ−２・ｓ−１以上でない場合、夜間であると判断し、ＬＥＤ３０２の電流ＯＦＦ処理を行う（ステップＳ１６）。ここで、判定部１９は、電源制御部１６に対して、ＬＥＤ３０２の電流をＯＦＦさせるための指示を意味する信号を判定結果として出力する。
【０１４３】
そして、この判定結果を受けた電源制御部１６は、電源部１７に対して、補光器３００のＬＥＤ３０２に供給する電流を停止させるための制御信号を出力する。
【０１４４】
そして、ステップＳ１６におけるＬＥＤの電流ＯＦＦ処理が終了すれば、再びステップＳ１１に移行する。
【０１４５】
〈効果〉
本実施形態によれば、上述したように、露天下の光量測定器５００を備え、該光量測定器５００によって測定された露天下スペクトルのＰＰＦＤの値から晴天を判断し、該露天下スペクトルが晴天時露天下スペクトルである場合、第２記憶部１２に記憶されている晴天時のスペクトルを自動更新する。
【０１４６】
茶農家の圃場は、一般的に面積が大きく、図８に示すように畝の数も多い。しかしながら、上記補光システム１によれば、大規模な圃場でも、自動で目標スペクトルを設定・更新することができ、圃場の立地・気候に応じた補光制御を行うことができる。
【０１４７】
このように、本実施形態によれば、目標スペクトルを自動で設定・更新することで、作業者は上記補光システム１（補光装置）を設置するだけでよく、非常に大きな圃場でも対応が可能となる。
【０１４８】
また、上記補光システム１は、設置場所の固有の光質条件を測定して作動するため、各圃場の立地や気候に応じた補光制御を行うことができる。
【０１４９】
このため、本実施形態によれば、圃場の規模が大きくなりがちな茶農家にとって、圃場の補光を省力で管理することが可能であり、製品品質のばらつきを抑えることができる補光システムを提供することができる。
【０１５０】
〔実施形態３〕
本発明のさらに他の実施形態について、図９〜図１１に基づいて説明すれば、以下の通りである。なお、説明の便宜上、実施形態１、２で説明した部材と同じ機能を有する部材については、同じ符号を付記し、その説明を省略する。
【０１５１】
〈補光システム１の概略構成〉
図９および図１０は、本実施形態にかかる補光システム１の要部の概略構成を示す模式図である。また、図１１は、本実施形態にかかる補光システム１による補光処理の様子を示す模式図である。
【０１５２】
本実施形態にかかる補光システム１は、図９および図１０に示すように、給電器１００、光量測定器２００・５００、補光器３００、被覆資材４００に加え、給電器１００と通信する入出力手段としての入出力端末７００を備えている。
【０１５３】
光量測定器２００・５００、補光器３００、および被覆資材４００については、実施形態１、２で説明した通りである。以下では、実施形態２にかかる補光システム１との相違点について説明する。
【０１５４】
〈給電器１００〉
本実施形態において、給電器１００の構成は、実施形態２とほぼ同じである。このため、詳細な説明並びにブロック図については省略する。
【０１５５】
本実施形態にかかる補光システム１の給電器１００が実施形態２と異なる点は、上記入出力端末７００と相互に通信するための通信部（図示せず）を備えていることである。
【０１５６】
この通信部からは、光量測定器２００・５００によって測定された測定値、補光電流の増加割合を示す設定値を入出力端末７００に出力し、この通信部には、スペクトル判定のための閾値、タイマ部２０の設定時間等の、補光処理に必要なパラメータが入出力端末７００から入力される。
【０１５７】
また、上記給電器１００の制御部に拡張性を持たせ、補光制御信号生成部１４および電源制御部１６に加えて、温度制御部および湿度制御部等の制御部を設け、上記給電器１００に各種センサを接続することで、温度や湿度等、チャの栽培環境のデータを取り扱ってもよい。
【０１５８】
〈入出力端末７００〉
入出力端末７００は、表示部７０１並びに図示しない通信部を備えている。これにより、入出力端末７００は、上述したスペクトル判定のための閾値、タイマ部２０の設定時間等の補光処理に必要なパラメータの入力や、光量測定器２００・５００によって測定された測定値（各種スペクトルデータ）、目標スペクトルデータ、補光電流の増加割合を示す設定値等の出力（表示）、さらには、給電器１００に上述した温度制御部や湿度制御を設ける場合、温度や湿度等のチャの栽培環境に関わる設定値の出力（表示）が可能であり、これらの情報を給電器１００とやりとりすることが可能となっている。
【０１５９】
〈通信形態〉
なお、上記給電器１００の通信部と入出力端末７００の通信部との間の通信形態としては、有線であってもよいし、無線であってもよい。また、通信方式についても特に限定しない。
【０１６０】
なお、上記補光システム１が、図９に示すように広大な面積の圃場に用いられる場合、あるいは、複数の補光システム１（補光装置）を、１つの入出力端末７００で一斉管理したい場合、あるいは、こまめな調節（上記パラメータの入力や設定値等の出力）を必要とする場合には、無線方式を採用することが好ましい。
【０１６１】
〈効果〉
茶農家の圃場は、一般的に面積が大きく、図１１に示すように畝の数も多い。このため、給電器１００の制御部に外部から情報を入力する場合には、一括管理できることが有用である。本実施形態によれば、上述したように入出力端末７００と給電器１００とを通信可能とすることで、広大な面積の圃場であっても、情報の一括管理が可能となる。
【０１６２】
また、広い圃場を抱える茶農家は、圃場内での環境のばらつきや、それに起因する生育速度や品質の差を把握し、適切な管理を行うことに大きな労力を費やしている。
【０１６３】
本実施形態によれば、圃場内のスペクトル条件の違いや、各種環境データを収集することで、これらの管理を容易にすることができる。
【０１６４】
また、前述したように生育に影響を与えるＲ光やＦＲ光を制御すれば、生育速度をある程度コントロールすることも可能となる。
【０１６５】
また、図１１に示すように、圃場内の各地点での気候や環境の違いによる被覆下スペクトルの変化に合わせて、図１１に点線で示すように各補光成分の補光量を変更することで、生育速度や品質のばらつきを抑制することができる。
【０１６６】
この結果、上記補光システム１を使用する茶農家にとって、圃場の管理を省力かつ容易にし、天候条件の影響を抑え、均一な製品品質を得ることが可能となる。
【０１６７】
〈変形例〉
なお、本実施形態では、給電器１００が、実施形態２とほぼ同じ構成を有している場合を例に挙げて説明したが、本実施形態はこれに限定されるものではなく、上記給電器１００は、実施形態１とほぼ同じ構成を有していてもよい。
【０１６８】
〔実施形態４〕
本発明のさらに他の実施形態について、図１２ないし図１４の（ａ）〜（ｃ）に基づいて説明すれば、以下の通りである。なお、説明の便宜上、実施形態１〜３で説明した部材と同じ機能を有する部材については、同じ符号を付記し、その説明を省略する。
【０１６９】
〈補光システム１の概略構成〉
図１２は、本実施形態にかかる補光システム１の要部の概略構成を示す模式図である。
【０１７０】
本実施形態では、補光システム１が、実施形態１とほぼ同じ構成を有している場合を例に挙げて説明する。
【０１７１】
本実施形態にかかる補光システム１が実施形態１と異なる点は、光量測定器２００が、光のスペクトルを測定するのではなく、特定の波長領域の光を透過させる図示しないフィルタを透過した光の光量（特定の波長成分）を測定する点である。
【０１７２】
〈光量測定器２００〉
本実施形態で用いられる光量測定器２００の受光部２１１は、特定の波長領域の光のみを透過させるフィルタを備えている。
【０１７３】
光量の測定に用いられるフォトディテクタは高価であり、幅広いスペクトルを測定する装置は複雑かつ高価になり易い。
【０１７４】
このため、光量測定器２００として、受光部２１１に、特定の波長領域の光を透過させるフィルタを備え、該フィルタを透過した光の光量を測定する光量測定器を用いることで、光のスペクトルを測定するよりも、光量測定器の構成（測定方法）を簡略化することができる。
【０１７５】
なお、本実施形態でも、光量測定器２００は、図１２に一部拡大して示すように、受光部２１１を上面として、被覆資材４００で覆われたチャ２の樹冠面３に設置される。
【０１７６】
受光部２１１に用いられるフィルタは、測定したい波長域に合わせて選択、重層される。
【０１７７】
図１３の（ａ）・（ｂ）は、一例として、本実施形態にかかる光量測定器２００でＦＲ光の光量を測定する方法を説明するグラフであり、図１３の（ａ）は、フィルタリング前の波長成分を示し、図１３の（ｂ）は、フィルタリング後の波長成分を示す。
【０１７８】
ＦＲ光のみを透過させるように使用するフィルタを選択することで、図１３の（ｂ）に示すように、ＦＲ光の波長成分のみが測定される。
【０１７９】
また、図１４の（ａ）は、ＰＰＦＤ測定用のフィルタを通過させたときの波長成分を示すグラフであり、図１４の（ｂ）は、ＦＲ光測定用のフォルタを通過させたときの波長成分を示すグラフであり、図１４の（ｃ）は、Ｒ光測定用のフォルタを通過させたときの波長成分を示すグラフである。なお、図１４の（ａ）〜（ｃ）において、点線は、フィルタでカットされた波長を示す。
【０１８０】
図１４の（ｃ）に示すように、本実施形態によれば、ＰＰＦＤ測定用の光量測定器２００と、測定する波長によって、ＦＲ光測定用の光量測定器２００および／またはＲ光測定用の光量測定器２００の、２種または３種の光量測定器２００を用いることもできる。これにより、高価なフォトディテクタの数を減らすことができる。
【０１８１】
なお、勿論、上記補光システム１は、Ｂ光（４００ｎｍ〜５００ｎｍ）、Ｇ光（緑色光、５００ｎｍ〜６００ｎｍ）、Ｒ光（６００ｎｍ〜７００ｎｍ）、ＦＲ光（７００ｎｍ〜８００ｎｍ）をそれぞれ透過させる光量測定器２００をそれぞれ用いてもよく、Ｂ光（４００ｎｍ〜５００ｎｍ）およびＧ光（緑色光、５００ｎｍ〜６００ｎｍ）を透過させる光量測定器２００と、Ｒ光（６００ｎｍ〜７００ｎｍ）を透過させる光量測定器２００と、ＦＲ光（７００ｎｍ〜８００ｎｍ）を透過させる光量測定器２００との３種の光量測定器２００を用いてもよい。
【０１８２】
本実施形態によれば、このように光量測定器２００を複数個配置することで、スペクトルを測定する場合と同様の補光効果を得ることができる一方、光量測定器２００の構造を簡略化することができ、安価な光量測定器２００を組立てることができる。
【０１８３】
〈変形例〉
なお、本実施形態では、補光システム１が、実施形態１とほぼ同じ構成を有している場合を例に挙げて説明したが、本実施形態はこれに限定されるものではなく、実施形態２あるいは実施形態３とほぼ同じ構成を有していてもよい。
【０１８４】
〔実施形態１〜４の変形例〕
実施形態１〜４では、チャの被覆栽培を行う場合を例に挙げて説明した。しかしながら、本発明の適用は、チャの被覆栽培にのみ限定されるものではなく、被覆栽培において天候の影響に左右される各種植物の栽培に、広く適用することができる。
【０１８５】
〔まとめ〕
本発明の態様１にかかる補光システム１は、被覆部材（被覆資材４００）で被覆された植物（チャ２）に、上記被覆部材（被覆資材４００）による被覆下で、晴天時以外の日中に、晴天時の日中に対して光量が不足している波長領域における予め設定された所定の波長領域の光を照射する補光システムであって、上記被覆部材（被覆資材４００）で被覆された植物（チャ２）に、上記所定の波長領域の光を照射する補光手段（補光器３００）と、上記被覆部材（被覆資材４００）を介して上記植物（チャ２）に照射される光の波長成分を測定する第１の波長成分測定手段（光量測定器２００）と、晴天時の日中の光の波長成分から目標波長成分として設定された、上記被覆部材（被覆資材４００）による被覆下での上記所定の波長領域の光の光量と、上記第１の波長成分測定手段（光量測定器２００）によって測定された波長成分における上記所定の波長領域の光の光量とを比較した比較結果に応じて、上記補光手段（補光器３００）から照射される光の光量を制御する光量制御手段（給電器１００）とを備えている。
【０１８６】
上記の構成によれば、晴天時の日中の光の波長成分から目標波長成分として設定された、上記被覆部材（被覆資材４００）による被覆下での上記所定の波長領域の光の光量と、上記第１の波長成分測定手段（光量測定器２００）によって測定された波長成分における、上記所定の波長領域の光の光量とを比較した比較結果に応じて、上記補光手段（補光器３００）から照射される光の光量を、上記光量制御手段（給電器１００）により制御することで、晴天時以外の日中に光量が不足する波長領域の光の光量を補うことができる。
【０１８７】
これにより、晴天時以外の日中の波長成分を晴天時の日中の波長成分に近づけることができ、天候による栽培条件の振れ幅を小さくし、収穫物である植物（チャ２の加工品である茶）の品質のばらつきを抑えることができる。
【０１８８】
また、被覆下かつ晴天時以外の日中をターゲットとして補光を行うため、全体の光量が少なく、補光量も少なく抑えることができる。
【０１８９】
本発明の態様１にかかる補光システム１は、上記態様１において、上記光量制御手段（給電器１００）は、上記第１の波長成分測定手段（光量測定器２００）によって測定された光の波長成分の光合成有効光量子密度（ＰＰＦＤ）をＳとし、露天下での晴天時の日中の波長成分（晴天時露天下波長成分）の光合成有効光量子密度（ＰＰＦＤ）をＦとしたとき、上記露天下での晴天時の日中の光の波長成分に、Ｓ／Ｆを乗じて得られる波長成分を目標波長成分として設定する目標波長成分設定部（目標スペクトル設定部２１）と、上記目標波長成分設定部（目標スペクトル設定部２１）によって設定された目標波長成分と、上記第１の波長成分測定手段（光量測定器２００）によって測定された波長成分とにおける、上記所定の波長領域の光の光量とを比較する光量比較部（判定部２２）と、上記光量比較部（判定部２２）による比較結果に応じて、上記補光手段（補光器３００）から照射される光の光量を調整する光量調整部（電源制御部１６）と、を備えていてもよい。
【０１９０】
目標波長成分の設計に際し、晴天時かつ露天下の光量と、曇天時かつ被覆下の光量との間には非常に大きな差がある。このため、晴天時かつ露天下における光の波長成分と、曇天時かつ被覆下の光の波長成分とを比較するためには、光量のスケールを揃える必要がある。
【０１９１】
そこで、上述したように、上記目標波長成分設定部（目標スペクトル設定部２１）において、上記第１の波長成分測定手段（光量測定器２００）によって測定された光の波長成分の光合成有効光量子密度（ＰＰＦＤ）をＳとし、露天下での晴天時の日中の波長成分（晴天時露天下波長成分）の光合成有効光量子密度（ＰＰＦＤ）をＦとしたとき、上記露天下での晴天時の日中の光の波長成分に、Ｓ／Ｆを乗じることで、晴天時かつ露天下における日中の光の光合成有効光量子密度（ＰＰＦＤ）と被覆下の日中の光の光合成有効光量子密度（ＰＰＦＤ）とのスケールを揃えることができ、晴天時かつ露天下における日中の光の波長成分を基に、目標波長成分として、補光する光の波長領域およびその強度を設定することができる。
【０１９２】
したがって、上記光量比較部（判定部２２）により、上記目標波長成分設定部（目標スペクトル設定部２１）によって設定された目標波長成分と、上記第１の波長成分測定手段（光量測定器２００）によって測定された波長成分とにおける、上記所定の波長領域の光の光量とを比較し、その比較結果に応じて、上記量調整部（電源制御部１６）により、上記補光手段（補光器３００）から照射される光の光量を調整することで、上記補光手段（補光器３００）から照射される光の光量を、上記光量制御手段（給電器１００）により制御することができる。
【０１９３】
本発明の態様３にかかる補光システム１は、上記態様２において、上記光量調整部（電源制御部１６）は、上記光量比較部（判定部２２）による比較結果から、上記第１の波長成分測定手段（光量測定器２００）によって測定された波長成分における上記所定の波長領域の光のうち、上記目標波長成分における上記所定の波長領域の光の光量よりも光量が少ない波長領域の光の光量を増加させるものであってもよい。
【０１９４】
上記の構成によれば、上記第１の波長成分測定手段（光量測定器２００）によって測定された波長成分における上記所定の波長領域の光のうち、上記目標波長成分における上記所定の波長領域の光の光量よりも光量が少ない波長領域の光の光量を増加させ、曇天時にも、晴天時と実質的に同じ光のスペクトルを得ることができる。
【０１９５】
本発明の態様４にかかる補光システム１は、上記態様３において、上記光量調整部（電源制御部１６）は、上記光量比較部（判定部２２）による比較結果から、上記第１の波長成分測定手段（光量測定器２００）によって測定された波長成分における上記所定の波長領域の光が、上記目標波長成分における上記所定の波長領域の光の光量よりも多いとき、上記補光手段（補光器３００）に供給する電流を停止させるものであってもよい。
【０１９６】
つまり、上記光量調整部（電源制御部１６）は、上記光量比較部（判定部２２）による比較結果から、上記第１の波長成分測定手段（光量測定器２００）によって測定された波長成分における上記所定の波長領域の光が、上記目標波長成分における上記所定の波長領域の光の光量よりも少ないとき、上記目標波長成分における上記所定の波長領域の光の光量よりも光量が少ない波長領域の光の光量を増加させ、上記第１の波長成分測定手段（光量測定器２００）によって測定された波長成分における上記所定の波長領域の光が、上記目標波長成分における上記所定の波長領域の光の光量よりも多いとき、上記補光手段（補光器３００）に供給する電流を停止させるものであってもよい。
【０１９７】
上記の構成によれば、天候が回復するなどして、上記第１の波長成分測定手段（光量測定器２００）によって測定された波長成分における上記所定の波長領域の光が、上記目標波長成分における上記所定の波長領域の光の光量よりも多くなった場合、自動的に、上記補光手段（補光器３００）に供給する電流を停止させることができる。このため、上記態様３の効果に加え、上記光量比較部（判定部２２）による比較結果から、上記目標波長成分における上記所定の波長領域の光の光量よりも多くなった場合、自動的に晴天時とみなして、上記補光手段（補光器３００）に供給する電流を停止させることができるので、晴天時か否かを別途判断しなかったとしても、被覆下かつ晴天時以外の日中をターゲットとして補光を行うことができ、補光量を少なく抑えることができるという効果を得ることができる。
【０１９８】
本発明の態様５にかかる補光システム１は、上記態様１〜５の何れかにおいて、露天下での晴天時の日中の光の波長成分を測定する第２の波長成分測定手段（光量測定器５００）を備えるとともに、上記光量制御手段（給電器１００）は、第１閾値および第１閾値よりも小さい第２閾値によって、上記第２の波長成分測定手段（光量測定器５００）によって測定された波長成分が、晴天時における日中の光の波長成分であるか、晴天時以外の日中の光の波長成分であるか、夜間の光の波長成分であるかを判定する判定部（判定部１９）とを備え、上記第２の波長成分測定手段（光量測定器５００）によって測定された波長成分が晴天時における日中の光の波長成分であると判定した場合、該波長成分に基づいて上記目標波長成分を更新し、上記第２の波長成分測定手段によって測定された波長成分が晴天時以外における日中の光の波長成分であると判定した場合、上記比較結果に応じて、上記補光手段（補光器３００）から照射される光の光量を制御し、上記第２の波長成分測定手段（光量測定器５００）によって測定された波長成分が夜間の光の波長成分であると判定した場合、上記補光手段（補光器３００）に供給する電流を停止させるものであってもよい。
【０１９９】
上記の構成によれば、上記第２の波長成分測定手段（光量測定器５００）によって測定された波長成分から、晴天であるか否かのみならず、夜間であるか否かも自動的に判断することができる。このため、補光時間の設定等を行わなくても、自動的に、被覆下かつ晴天時以外の日中をターゲットとして補光を行うことができる。
【０２００】
また、上記の構成によれば、上記判定部（判定部１９）によって、上記第２の波長成分測定手段（光量測定器５００）によって測定された波長成分が晴天時における日中の光の波長成分であると判定された場合、該波長成分に基づいて上記目標波長成分を自動的に更新することができるので、大規模な圃場でも、上記補光システム１を設置するだけで、自動的に、圃場の立地・気候に応じた補光制御を行うことができる。
【０２０１】
本発明の態様６にかかる補光システム１は、上記態様１〜５の何れかにおいて、上記波長成分測定手段（光量測定器２００・５００）は、特定の波長領域の光を透過させるフィルタを備え、該フィルタを透過した光の光量を測定するものであってもよい。
【０２０２】
光量の測定に用いられるフォトディテクタは高価であり、幅広いスペクトルを測定する装置は複雑かつ高価になり易い。
【０２０３】
このため、上記波長成分測定手段（光量測定器２００・５００）として、特定の波長領域の光を透過させるフィルタを備え、該フィルタを透過した光の光量を測定する波長成分測定手段（光量測定器２００・５００）を用いることで、上記波長成分として光のスペクトルを測定する場合と比較して、上記波長成分測定手段（光量測定器２００・５００）の構成（測定方法）を簡略化することができる。
【０２０４】
このため、上記の構成によれば、スペクトルを測定する場合と同様の補光効果を、安価な波長成分測定手段（光量測定器２００・５００）により実現することができる。
【０２０５】
本発明の態様７にかかる補光システム１は、上記態様１〜６の何れかにおいて、上記光量制御手段（給電器１００）と通信を行う入出力端末７００をさらに備えていてもよい。
【０２０６】
上記の構成によれば、上記補光システム１が上記入出力端末７００を備えていることで、上記光量制御手段（給電器１００）と上記入出力端末７００との間で情報のやりとりが可能であり、例えば茶農家の圃場のように広大な面積の圃場であっても、情報の一括管理が可能となるとともに、情報の管理を容易に行うことができる。
【産業上の利用可能性】
【０２０７】
本発明は、チャ等の被覆栽培される植物に、被覆資材による被覆下で光を照射する補光システムに利用することができる。
【符号の説明】
【０２０８】
１    補光システム
２    チャ（植物）
３    樹冠面
１１    第１記憶部
１２    第２記憶部
１３    第３記憶部
１４    補光制御信号生成部
１５    タイマ部
１６    電源制御部（光量調整部）
１７    電源部
１８    第４記憶部
１９    判定部
２０    タイマ部
２１    目標スペクトル設定部
２２    判定部（光量比較部）
１００    給電器（光量制御手段）
２００    光量測定器（第１の波長成分測定手段）
２０１    受光部
２１１    受光部
３００    補光器（補光手段）
３０１    配線
３０２    ＬＥＤ
４００    被覆資材（被覆部材）
５００    光量測定器（第２の波長成分測定手段）
５０１    受光部
６００    電源
７００    入出力端末
【図１】
2014168405.tif 000004
【図２】
2014168405.tif 000005
【図３】
2014168405.tif 000006
【図４】
2014168405.tif 000007
【図５】
2014168405.tif 000008
【図６】
2014168405.tif 000009
【図７】
2014168405.tif 000010
【図８】
2014168405.tif 000011
【図９】
2014168405.tif 000012
【図１０】
2014168405.tif 000013
【図１１】
2014168405.tif 000014
【図１２】
2014168405.tif 000015
【図１３】
2014168405.tif 000016
【図１４】
2014168405.tif 000017